(57)【要約】【課題】  消費者に対し生鮮食品の履歴情報を提供する簡易なシステムを実現する。【解決手段】  食品履歴情報提供サーバが、食品履歴情報データを仲卸業者端末から受信する手段と、食品履歴情報データを記憶する食品履歴情報ファイルと、食品履歴情報データを提供するためのウェブサイトを構築するウェブサーバと、ＵＲＬ情報データを小売業者端末へ送信する手段と、ＵＲＬ情報データを用いてウェブサイトに接続した消費者端末からの要求に応じて食品履歴情報データを送信する手段とを有する食品履歴情報提供システムである。【選択図】  図１
2005149198.tif 000002
【特許請求の範囲】
【請求項１】
消費者に対し生鮮食品の履歴情報を提供すべく仲卸業者端末、小売業者端末及び消費者端末のそれぞれと通信ネットワークを介して情報伝送可能な食品履歴情報提供サーバを有する食品履歴情報提供システムにおいて、前記食品履歴情報提供サーバが、
前記生鮮食品に係る食品履歴情報データを前記仲卸業者端末から受信する手段と、
受信した前記食品履歴情報データを記憶する食品履歴情報ファイルと、
前記食品履歴情報ファイルに記憶された前記食品履歴情報データを提供するための消費者向けウェブサイトを構築するウェブサーバと、
前記消費者向けウェブサイトに係るＵＲＬ情報データを前記小売業者端末へ送信する手段と、
前記ＵＲＬ情報データを用いて前記消費者向けウェブサイトに接続した前記消費者端末からの要求に応じて該消費者向けウェブサイト経由にて前記食品履歴情報データを送信する手段とを有することを特徴とする
食品履歴情報提供システム。
【請求項２】
前記食品履歴情報提供サーバがさらに、前記仲卸業者端末に対し前記食品履歴情報データの入力フォームを送信する手段を有し、
前記受信する手段が、前記入力フォームを用いて前記仲卸業者端末により入力された前記食品履歴情報データを受信することを特徴とする
請求項１に記載の食品履歴情報提供システム。
【請求項３】
消費者に対し生鮮食品の履歴情報を提供すべく仲卸業者端末、小売業者端末及び消費者端末のそれぞれと通信ネットワークを介して情報伝送可能な食品履歴情報提供サーバが実行する食品履歴情報提供方法において、前記食品履歴情報提供サーバが、
前記生鮮食品に係る食品履歴情報データを前記仲卸業者端末から受信するステップと、
受信した前記食品履歴情報データを食品履歴情報ファイルに記憶するステップと、
前記食品履歴情報ファイルに記憶された前記食品履歴情報データを提供するための消費者向けウェブサイトを構築するステップと、
前記消費者向けウェブサイトに係るＵＲＬ情報データを前記小売業者端末へ送信するステップと、
前記ＵＲＬ情報データを用いて前記消費者向けウェブサイトに接続した前記消費者端末からの要求に応じて該消費者向けウェブサイト経由にて前記食品履歴情報データを送信するステップとを有することを特徴とする
食品履歴情報提供方法。
【請求項４】
前記食品履歴情報提供サーバがさらに、前記仲卸業者端末に対し前記食品履歴情報データの入力フォームを送信するステップを有し、
前記受信するステップにおいて、前記入力フォームを用いて前記仲卸業者端末により入力された前記食品履歴情報データを受信することを特徴とする
請求項３に記載の食品履歴情報提供方法。
【請求項５】
消費者に対し生鮮食品の履歴情報を提供すべく仲卸業者端末、小売業者端末及び消費者端末のそれぞれと通信ネットワークを介して情報伝送可能な食品履歴情報提供サーバを機能させる食品履歴情報提供プログラムにおいて、前記食品履歴情報提供サーバに対し、
前記生鮮食品に係る食品履歴情報データを前記仲卸業者端末から受信する機能と、
受信した前記食品履歴情報データを食品履歴情報ファイルに記憶する機能と、
前記食品履歴情報ファイルに記憶された前記食品履歴情報データを提供するための消費者向けウェブサイトを構築する機能と、
前記消費者向けウェブサイトに係るＵＲＬ情報データを前記小売業者端末へ送信する機能と、
前記ＵＲＬ情報データを用いて前記消費者向けウェブサイトに接続した前記消費者端末からの要求に応じて該消費者向けウェブサイト経由にて前記食品履歴情報データを送信する機能とを実現させることを特徴とする
食品履歴情報提供プログラム。
【請求項６】
前記食品履歴情報提供サーバに対しさらに、前記仲卸業者端末に対し前記食品履歴情報データの入力フォームを送信する機能を実現させると共に、
前記受信する機能において、前記入力フォームを用いて前記仲卸業者端末により入力された前記食品履歴情報データを受信することを特徴とする
請求項５に記載の食品履歴情報提供プログラム。
【発明の詳細な説明】
【技術分野】
【０００１】
本発明は、魚や野菜等の生鮮食品の産地や流通に関する履歴情報を提供するためのシステム等に関する。
【背景技術】
【０００２】
消費者が、小売店で購入する魚や野菜等の生鮮食品に関する履歴情報、例えば、産地、生産者、卸売業者、競り日、小売業者等の情報を得ることは有意義である。特許文献１には、食品外装に付されたコードを小売店端末が読み取り、サーバに記憶された食品情報を取得して食品外装に表示するラベルを印刷出力して添付する食品履歴情報の提供システムが記載されている。
【特許文献１】特開２００２−１５７３１７号公報
【発明の開示】
【発明が解決しようとする課題】
【０００３】
しかしながら、食品の種類は非常に多様である上に、１つの食品をとっても食品自体の固有情報に加え、その生産や売買の情報までも含む履歴情報となるとその情報量は極めて膨大となることからそれら全てにコードを付す処理は、むしろ煩わしく困難なものとなる。
【０００４】
上記の問題点に鑑み、本発明は、食品、特に生鮮食品の履歴情報を簡易に消費者に提供できるシステム、方法及びプログラムを実現することを目的とする。
【課題を解決するための手段】
【０００５】
上記の目的を達成すべく本発明は、次の構成を提供する。
（１）請求項１に係る食品履歴情報提供システムは、消費者に対し食品の履歴情報を提供すべく仲卸業者端末、小売業者端末及び消費者端末のそれぞれと通信ネットワークを介して情報伝送可能な食品履歴情報提供サーバを有する食品履歴情報提供システムにおいて、前記食品履歴情報提供サーバが次の構成を有する。
（ａ）前記生鮮食品に係る食品履歴情報データを前記仲卸業者端末から受信する手段
（ｂ）受信した前記食品履歴情報データを記憶する食品履歴情報ファイル
（ｃ）前記食品履歴情報ファイルに記憶された前記食品履歴情報データを提供するための消費者向けウェブサイトを構築するウェブサーバ
（ｄ）前記消費者向けウェブサイトに係るＵＲＬ情報データを前記小売業者端末へ送信する手段
（ｅ）前記ＵＲＬ情報データを用いて前記消費者向けウェブサイトに接続した前記消費者端末からの要求に応じて該消費者向けウェブサイト経由にて前記食品履歴情報データを送信する手段
【０００６】
（２）請求項２に係るシステムは、請求項１において、前記食品履歴情報提供サーバがさらに、前記仲卸業者端末に対し前記食品履歴情報データの入力フォームを送信する手段を有し、前記受信する手段が、前記入力フォームを用いて前記仲卸業者端末により入力された前記食品履歴情報データを受信することを特徴とする。
【０００７】
（３）請求項３に係る食品履歴情報提供方法は、消費者に対し食品の履歴情報を提供すべく仲卸業者端末、小売業者端末及び消費者端末のそれぞれと通信ネットワークを介して情報伝送可能な食品履歴情報提供サーバが実行する食品履歴情報提供方法において、前記食品履歴情報提供サーバが次のステップを実行する。
（ａ）前記生鮮食品に係る食品履歴情報データを前記仲卸業者端末から受信するステップ
（ｂ）受信した前記食品履歴情報データを食品履歴情報ファイルに記憶するステップ
（ｃ）前記食品履歴情報ファイルに記憶された前記食品履歴情報データを提供するための消費者向けウェブサイトを構築するステップ
（ｄ）前記消費者向けウェブサイトに係るＵＲＬ情報データを前記小売業者端末へ送信するステップ
（ｅ）前記ＵＲＬ情報データを用いて前記消費者向けウェブサイトに接続した前記消費者端末からの要求に応じて該消費者向けウェブサイト経由にて前記食品履歴情報データを送信するステップ
【０００８】
（４）請求項４に係る方法は、前記食品履歴情報提供サーバがさらに、前記仲卸業者端末に対し前記食品履歴情報データの入力フォームを送信するステップを有し、前記受信するステップにおいて、前記入力フォームを用いて前記仲卸業者端末により入力された前記食品履歴情報データを受信することを特徴とする。
【０００９】
（５）請求項５に係る食品履歴情報提供プログラムは、消費者に対し食品の履歴情報を提供すべく仲卸業者端末、小売業者端末及び消費者端末のそれぞれと通信ネットワークを介して情報伝送可能な食品履歴情報提供サーバを機能させる食品履歴情報提供プログラムにおいて、前記食品履歴情報提供サーバに対し次の機能を実現させる。
（ａ）前記生鮮食品に係る食品履歴情報データを前記仲卸業者端末から受信する機能
（ｂ）受信した前記食品履歴情報データを食品履歴情報ファイルに記憶する機能
（ｃ）前記食品履歴情報ファイルに記憶された前記食品履歴情報データを提供するための消費者向けウェブサイトを構築する機能
（ｄ）前記消費者向けウェブサイトに係るＵＲＬ情報データを前記小売業者端末へ送信する機能
（ｅ）前記ＵＲＬ情報データを用いて前記消費者向けウェブサイトに接続した前記消費者端末からの要求に応じて該消費者向けウェブサイト経由にて前記食品履歴情報データを送信する機能
【００１０】
（６）請求項６に係るプログラムは、請求項５において、前記食品履歴情報提供サーバに対しさらに、前記仲卸業者端末に対し前記食品履歴情報データの入力フォームを送信する機能を実現させると共に、前記受信する機能において、前記入力フォームを用いて前記仲卸業者端末により入力された前記食品履歴情報データを受信することを特徴とする。
【発明の効果】
【００１１】
本発明によれば、仲卸業者が、仲卸業者端末から入力送信した食品履歴情報データを食品履歴情報提供サーバが記憶、蓄積すると共に、小売業者端末へ消費者向けウェブサイトのＵＲＬ情報データを送信する。小売業者は、ＵＲＬ情報を食品の包装等に付す。消費者は、購入した食品の包装等の付されたＵＲＬ情報を用いて消費者端末から消費者向けウェブサイトへ接続し、その消費者向けウェブサイトから送信される食品履歴情報データをブラウザにより表示することにより、食品履歴情報を容易に取得することができる。この結果、消費者は、安全な食品に関する情報を十分に得ることができる。
【発明を実施するための最良の形態】
【００１２】
以下、本発明の実施例を示す図面を参照しつつ本発明の実施の形態を説明する。
図１は、本発明による食品履歴情報提供システムの一実施例を模式的かつ概略的に示した構成図である。本システムの適用対象となる魚や野菜等の生鮮食品は、例えば、生産者から卸売業者５０へ売られ、市場で競りに掛けられ、仲卸業者が競り落とし、その後、仲卸業者から小売業者へ販売され、最後に小売業者から消費者が購入する。
【００１３】
本システムは、食品履歴情報提供サーバ１０により実現される。食品履歴情報提供サーバ１０は、適宜の１又は複数のコンピュータを用いて構成可能である。制御装置１１はＣＰＵとメモリを具備しており、ハードディスク等の記憶装置１４に導入された本発明の機能を実現するプログラムをメモリが読み込み、ＣＰＵが実行する。食品履歴情報提供サーバ１０の各機能は、破線枠で囲むデータ処理部１５として概略的に示している。データ処理部１５は、食品履歴情報登録処理手段１５ａ、電子メール処理手段１５ｂ、ウェブサーバ手段１５ｃ等を含む。食品履歴情報登録処理手段１５ａは、仲卸業者から取得した食品履歴情報を記憶装置１４に食品履歴情報ファイルとして登録すなわち記憶する。電子メール処理手段１５ｂは、小売業者端末３０に対して電子メールを送信する。ウェブサーバ手段１５ｃは、仲卸業者向け及び小売業者向けの各ウェブサイトを構築管理する。これらのウェブサイトからＨＴＭＬ文書を各端末へ送信し、ブラウザにより表示させたり、各端末から受信したデータに対して所定の処理を実行する。これを実現するウェブ技術としてはＣＧＩ（Common Gateway Interface ）やＡＳＰ（Active Server pages）が利用できる。
【００１４】
食品履歴情報提供サーバ１０は、通信装置１２を具備することにより、インターネット、公衆回線、専用回線等適宜の通信ネットワーク６０、７０及び８０をそれぞれ介して仲卸業者端末２０、小売業者端末３０及び消費者端末４０との間で情報伝送可能である。その他に、食品履歴情報提供サーバ１０は、システムの操作及び管理のためにキーボードやディスプレイ等の入出力装置１０を具備する。
【００１５】
仲卸業者端末２０は、仲卸業者が用いる適宜のコンピュータであり、ＣＰＵ及びメモリを具備する制御装置２１と、モデム、ターミナルアダプタ、ルータ等の通信装置２２と、ディスプレイ等の表示装置２３と、キーボード等の入力装置２４と、ハードティスク等の記憶装置２５とを有する。通信装置２２は、インターネットへの接続機能を有し、また仲卸業者向けウェブサイトから送信されるＨＴＭＬ文書を表示装置２３に表示させるブラウザソフトウェア２６を導入している。また、電子メール送受信機能を具備してもよい。
【００１６】
小売業者端末３０は、小売業者が用いる適宜のコンピュータであり、ＣＰＵ及びメモリを具備する制御装置３１と、モデム、ターミナルアダプタ、ルータ等の通信装置３２と、印刷装置３４と、ハードティスク等の記憶装置３５とを有する。通信装置３２は、インターネットへの接続機能を有し、電子メール送受信機能を具備する。尚、小売業者は、小売店にて食品３６を消費者に販売する。消費者向けウェブサイトのＵＲＬ情報３７は、食品に貼付される等の手段により小売業者から消費者に示される。
【００１７】
消費者端末４０は、消費者が用いる適宜のコンピュータであり、ＣＰＵ及びメモリを具備する制御装置４１と、モデム、ターミナルアダプタ、ルータ等の通信装置４２と、ディスプレイ等の表示装置４３と、キーボード等の入力装置４４と、ハードティスク等の記憶装置４５とを有する。通信装置４２は、インターネットへの接続機能を有し、また消費者向けウェブサイトから送信されるＨＴＭＬ文書を表示装置４３に表示させるブラウザソフトウェア４６を導入している。
【００１８】
図２は、図１の構成を用いた食品履歴情報提供システムの処理フローを概略的に示す図である。図２を参照して、本システムの処理の流れを説明する。必要に応じて図１中の符号を用いる。
【００１９】
・ステップＳ１１：仲卸業者は、生鮮食品を卸売業者から買い入れて小売業者へ販売する。従って、仲卸業者は、その生鮮食品に関する履歴情報を保有しているものとする。仲卸業者は、仲卸業者端末２０から食品履歴情報提供サーバ１０の構築する仲卸業者向けウェブサイトへ接続する。
【００２０】
・ステップＳ１２：食品履歴情報提供サーバ１０は、仲卸業者向けウェブサイトから仲卸業者端末２０へ食品履歴情報の入力フォーマットを送信する。
【００２１】
・ステップＳ１３：仲卸業者端末２０はブラウザ２６により入力フォーマットを表示装置２３に表示する。入力フォーマットには、入力情報項目として例えば、販売店名（小売業者名）、食品の種類や量、原産地名、卸売業者名、競り場での番号、競り落とし日等が表示され、その入力欄も表示される。仲卸業者端末２０の入力装置２４を用いて食品履歴情報のデータ入力を行い、通信ネットワーク６０を介して食品履歴情報提供サーバ１０へ送信する。他の実施例では、電子メールにより仲卸業者端末２０から食品履歴情報提供サーバ１０へ食品履歴情報データを送信することもできる。
【００２２】
・ステップＳ１４：食品履歴情報提供サーバ１０は、仲卸業者向けウェブサイト経由で食品履歴情報データを受信する。受信した食品履歴情報データを記憶装置１４の食品履歴情報ファイル１４ａに登録すなわち記憶する。
【００２３】
・ステップＳ１５：食品履歴情報提供サーバ１０は、消費者向けウェブサイトのホームページアドレス情報すなわちＵＲＬ情報データを通信ネットワーク７０を介して小売業者端末３０へ送信する。この送信には、例えば、電子メールを用いることができる。
【００２４】
・ステップＳ１６：小売業者端末３０は、受信したＵＲＬ情報データを記憶装置３５に記憶する。
【００２５】
・ステップＳ１７：小売業者端末３０は、印刷装置３４を用いてＵＲＬ情報３７を印刷出力する。印刷は、食品３６自体若しくは食品の包装に貼付するラベル、食品の広告、食品のポスター等に対して行う。
【００２６】
・ステップＳ１８：消費者は、ＵＲＬ情報３７を印刷したラベルを付した食品を購入したり、あるいはＵＲＬ情報３７を印刷した広告やポスターを見ることにより、ＵＲＬ情報を認知する。認知したＵＲＬ情報データを用いて消費者端末４０から消費者向けウェブサイトへ通信ネットワーク８０を介して接続する。
【００２７】
・ステップＳ１９：消費者端末４０から接続され食品履歴情報データの要求があったとき、食品履歴情報提供サーバ１０は、食品履歴情報ファイル１４ａから食品履歴情報データを取得して、適宜の表示フォーマットを作成して消費者向けウェブサイトから消費者端末４０へ送信する。
【００２８】
・ステップＳ２０：消費者端末４０は、受信した食品履歴情報データをブラウザ４６により表示装置４３上に表示させる。こうして消費者は、食品の詳細な履歴情報を閲覧することができる。
【００２９】
図３は、食品履歴情報提供サーバ１０から消費者端末４０へ食品履歴情報を提供する際の処理（図２のステップＳ１８〜Ｓ２０に相当）を模式的に示した図である。消費者端末４０の表示装置４３上の画面の一例として、魚の履歴情報が表示されている。
【００３０】
以上に説明した実施例では、消費者市場の仲卸業者の端末装置である仲卸業者端末２０のみから食品履歴情報データを受信しているが、更なる発展形態として、仲卸業者より前の流通経路に位置する各メンバーの端末装置から同様の食品履歴情報データを受信してもよい。例えば、食品を生マグロとすると、流通段階のメンバーとして、マグロを捕る漁師若しくは漁業会社、産地市場における荷受け会社や漁協、産地市場にて競り落とした産地仲卸業者、消費者市場における卸売会社である。これらのメンバーの端末装置から取得した食品履歴情報データをそれぞれ別の食品履歴情報データファイルとして記憶装置に保存する。別個に保存された食品履歴情報データファイル同士は、同じ生マグロについてのものであるので共通する情報項目（産地名等）は同一データを有する。共通する情報項目を用いて食品履歴情報データファイル同士の関連付けを行うことができる。関連付けは、例えば、流通経路の後方（例えば仲卸業者端末から取得した食品履歴情報データファイル）から前方（例えば漁業会社端末から取得した食品履歴情報データファイル）へ向かって行う。関連付けにより、共通データ（産地名等）を抽出すると共に各メンバーの独自データ（消費者市場での競り落とし日等）も抽出できる。これらの共通データを独自データを併合することにより、流通経路の最初から最後までの間におけるその生マグロに関わる完全な食品履歴情報データが得られることとなる。この関連付け処理を行った後、完全な食品履歴情報データを消費者向けウェブサイトから消費者端末へ送信することができる。
【図面の簡単な説明】
【００３１】
【図１】本発明による食品履歴情報提供システムの一実施例を模式的かつ概略的に示した構成図である。
【図２】図１の構成を用いた食品履歴情報提供システムの処理フローを概略的に示す図である。
【図３】食品履歴情報提供サーバ１０から消費者端末４０へ食品履歴情報を提供する際の処理（図２のステップＳ１８〜Ｓ２０に相当）を模式的に示した図である。
【符号の説明】
【００３２】
１０  食品履歴情報提供サーバ
１１  制御装置
１２  通信装置
１３  入出力装置
１４  記憶装置
１４ａ  食品履歴情報データ
１５  データ処理部
１５ａ  食品履歴情報登録処理
１５ｂ  電子メール処理
１５ｃ  ウェブサーバ
２０  仲卸業者端末
２１  制御装置
２２  通信装置
２３  表示装置
２４  入力装置
２５  記憶装置
２６  ブラウザ
３０  小売業者端末
３１  制御装置
３２  通信装置
３４  印刷装置
３５  記憶装置
３６  食品
３７  ＵＲＬ情報
４０  消費者端末
４１  制御装置
４２  通信装置
４３  表示装置
４４  入力装置
４５  記憶装置
４６  ブラウザ
６０、７０、８０  通信ネットワーク
【図１】
2005149198.tif 000003
【図２】
2005149198.tif 000004
【図３】
2005149198.tif 000005